(57)【特許請求の範囲】
【請求項１】
電力引込口または電力引出口に、ガスブッシングを備えるガス絶縁開閉装置において、
前記ガスブッシングの下部に設けられるブッシング下部タンクに、当該ブッシングの中心軸に対してほぼ直角方向に、地上１メートルの高さにおける電界強度が１００Ｖ／ｃｍを越えないように、４つの分岐タンクが設置されていることを特徴とするガス絶縁開閉装置。
【請求項２】
請求項１において、前記４つの分岐タンクは、同一平面内で前記ガスブッシングの中心軸から９０°毎に放射状に伸びて設置されていることを特徴とするガス絶縁開閉装置。
【請求項３】
請求項１において、前記分岐タンクが、タンク形避雷器、変成器、ガス絶縁母線、及びカバーの各タンクから構成されていることを特徴とするガス絶縁開閉装置。
【請求項４】
請求項１において、前記分岐タンクが、タンク形避雷器、変成器、ガス絶縁母線、及び送電線用接地開閉器の各タンクから構成されていることを特徴とするガス絶縁開閉装置。
【請求項５】
請求項２において、前記分岐タンクが、タンク形避雷器、変成器、ガス絶縁母線及び該ガス絶縁母線と異なる方向に分岐されるガス絶縁母線の各タンクから構成されていることを特徴とするガス絶縁開閉装置。
【請求項６】
電力引込口または電力引出口に、ガスブッシングを備えるガス絶縁開閉装置において、
前記ガスブッシングの下部に設けられるブッシング下部タンクに、当該ブッシングの中心軸に対してほぼ直角方向に、地上１メートルの高さにおける電界強度が１００Ｖ／ｃｍを越えないように、３つの分岐タンクが設置されていることを特徴とするガス絶縁開閉装置。
【請求項７】
請求項６において、前記３つ分岐タンクは、同一平面内で前記ガスブッシングの中心軸から１２０°毎に放射状に伸びていることを特徴とするガス絶縁開閉装置。
【発明の詳細な説明】
【発明の属する技術分野】
本発明は、ガス絶縁開閉装置に関する。
【従来の技術】
通常、ガス絶縁開閉装置は、絶縁性ガスを封入した金属ケースのタンク内に、開閉機器等の各種の機器を収納し、タンクを接地して構成している。架空線から開閉機器等の機器に至る途中にはガスブッシングが用いられるが、ガスブツシングの取付位置が低く、地表面に近い場合には、地表面付近でも高電界となり、近接する人や物に悪影響を及ぼすことが考えられる。そこで従来は、ブッシング下部の外周に電界制御用の接地シールドを取付けたり、ガスブッシングの取付位置を高くする等の工夫がなされている。
【発明が解決しようとする課題】
しかし、接地シールドを設けることはガス絶縁開閉装置のコストアッブ要因となり好ましいものではなく、また、ガスブッシングの取り付け位置を高くすると、ガスブッシングが高層化し、ガス絶縁開閉装置の小型、低層化に逆行するものであり、問題であった。
本発明の代表的な目的は、上記の問題点に鑑みて、ガスブッシングを低層化しつつ、また電界制御用の接地シールド等を設けることなく、近傍の地表面電界強度を低下させたガス絶縁開閉装置を提供することである。
また、本発明の別の代表的な目的は、作業員への負担を低減できるようにすることにある。
【課題を解決するための手段】
上記目的を達成するために、本発明は、電力引込口または電力引出口に、ガスブッシングを備えるガス絶縁開閉装置において、前記ガスブッシングの下部に設けられるブッシング下部タンクに、当該ブッシングの中心軸に対してほぼ直角方向に、地上１メートルの高さにおける電界強度が１００Ｖ／ｃｍを越えないように、３つ（或いは、４つ）の分岐タンクを設置することにある。
また、前記各分岐タンクは、同一平面内で前記ガスブッシングの中心軸から、３つの場合１２０°毎に、又４つの場合９０°毎に放射状に伸びて設置されること、また、前記各分岐タンクは接地面に対して所定の高さ以上に設置される。また、分岐タンクとしては、タンク形避雷器、変成器、ガス絶縁母線、カバーおよび送電線用接地開閉器の各タンクがあるが、その組合せとしては、タンク形避雷器、変成器、ガス絶縁母線、およびカバー、またはタンク形避雷器、変成器、ガス絶縁母線、および送電線用接地開閉器、もしくはタンク形避雷器、変成器、ガス絶縁母線、および前記ガス絶縁母線と異なる方向に分岐されるガス絶縁母線等のタンクがある。
【発明の効果】
本発明によれば、接地電位がブッシング下部タンクから分岐した各タンクになるので、ガスブッシング近傍の接地面付近の電界を低下させることができ、人や物に対する悪影響を除去することができる。また、従来必要とされていたブッシング下部シールドを省略し、ガスブッシング取付位置の低層化を図ることができる。
【発明を実施するための最良の形態】
以下、本発明を実施するための最良の形態を具体的な実施例によって説明する。
【実施例１】
図１は本実施例に係るガス絶縁開閉装置の構成を示す正面図、図２は図１に示すガスブッシング近傍の構成を示す平面図、図３は図１に示すガスブッシング近傍の構成を示す側面図である。
図１に示すように、このガス絶縁開閉装置は、ガスブッシング１、ブッシング下部タンク２、タンク形避雷器３、巻線形または光変換形の変成器４、ガス絶縁母線５、カバー６、断路器７、変流器８、遮断器９、主母線１０等から構成される。ガスブッシング１は、外側は碍子で、また、中心軸部は導体で形成されている。架空線からの電力は、ガスブッシング１の上部の引込線部から、碍子の中心軸部の導体を通って、ブッシング下部タンク２に伝達される。ブッシング下部タンク２、タンク形避雷器３、巻線形または光変換形の変成器４、ガス絶縁母線５、カバー６、断路器７、変流器８、遮断器９、主母線１０は、それぞれ、絶縁性ガスを封入した金属ケース（以下、タンクと略す）内に開閉機器等の各種機器を収納して構成され、また、タンクを接地している。
また、図１ないし図３に示すように、ガスブッシング１のブッシング下部タンク２には、ガスブッシング１の中心軸に対して、ほぼ直角方向、かつ４方向に分岐部を有している。
各々の分岐部には、図２に示すように、各分岐部がほぼ９０°毎に設けられており、各々の分岐部には、タンク形避雷器３、巻線形または光変換形の変成器４、ガス絶縁母線５、およびカバー６の各タンクが接続されている。
ブッシング下部タンク２に導かれた電力は、ガス絶縁母線５を通って、断路器７、変圧器８、主母線１０に導かれる。また、架空線から導かれた電力はブッシング下部タンク２よりタンク形避雷器３に導かれる。タンク形避雷器３は通常高抵抗であるが、架空線に避雷があったとき等の緊急時に低抵抗となり、避雷の役割を行う。また、巻線形または光変換形の変成器４は架空線の電圧を計測することを目的として設置される。カバー６は、避雷或いは計測等の特定の用途に用いられるものではないが、後述する、ガスブッシング１の近傍の電界分布の低下の為に、設置されたものである。
このように、本実施例のガス絶縁開閉装置によれば、ブッシング下部タンク２から分岐したタンク形避雷器３、変成器４、ガス絶縁母線５、およびカバー６の各タンクが接地電位となるので、ガスブッシング１の近傍の電界分布が、図３に示すように、ブッシング下部タンク２から分岐したタンク形避雷器３、変成器４、ガス絶縁母線５、およびカバー６の各タンクの上位に至り、ガスブッシング近傍の接地面付近の電界を低下させることができ、人１１や物に対する悪影響を除去することができる。
なお、ブッシング下部タンク２から、タンク形避雷器３と変成器４への分岐と、ガス絶縁母線５とカバー６への分岐の高さは、タンク２の製作上の制約により若干異なっているが、同一高さで分岐する方が接地面付近での電界分布が均一化されより優れた効果が得られる。また、本発明の効果を得るためには、各分岐部に接続される各タンクは、少なくとも人間の背の高さよりも高い位置に設置される必要がある。これにより、ガスブッシング近傍の人や物に影響を与えないようにすることができる。
なお、ブッシング下部タンク２から分岐したタンク形避雷器３、変成器４、ガス絶縁規線５、およびカバー６の各タンクの設置については、地上１メートルの高さにおける電界強度が１００Ｖ／ｃｍを越えないように設けられる。また、カバー６の突出長さは、定格電圧が５５０ｋＶ以上であると２．５メートル以上であり、定格電圧が５５０ｋＶより小さく３００ｋＶより大きい場合には１．５メートル以上であり、定格電圧が３００ｋＶより小さく１６０ｋＶ以上の場合には１．０メートル以上であることが望ましい。
【実施例２】
図４は本実施例に係るガス絶縁開閉装置のガスブッシング近傍の構成を示す正面図、図５は図４に示すガスブッシング近傍の構成を示す平面図、図６は図４に示すガスブッシング近傍の構成を示す側面図でおる。
これらの図において、１２はブッシング下部タンク２の分岐部に接続される送電線用接地開閉器であり、その他の構成は図１ないし図３に示す同符号の構成に対応する。
本実施例のガス絶縁開閉装置は、実施例１のカバー６に代えて、送電線用接地開閉器１２を接続したものであり、実施例１の場合と同様に、ブッシング下部タンク２から分岐したタンク形避雷器３、変成器４、ガス絶縁母線５、および送電線用接地開閉器１２の各タンクが接地電位となるので、ガスブッシング１の近傍の電界分布が、ブッシング下部タンク２から分岐したタンク形避雷器３、変成器４、ガス絶縁母線５、および送電線用接地開閉器２の各タンクの上位に至り、ガスブッシング近傍の接地面付近の電界を低くすることができる。
【実施例３】
図７は本実施例に係るガス絶縁開閉装置のガスブッシング近傍の構成を示す正面図、図８は図７に示すガスブッシング近傍の構成を示す平面図、図９は図８を左側から見たガスブッシング近傍の構成を示す側面図である。
これらの図において、１３はブッシング下部タンク２の分岐部に接続されるガス絶縁母線であり、その他の構成は図１ないし図３に示す同符号の構成に対応する。
本実施例のガス絶縁開閉装置は、実施例１のカバー６に代えて、ガス絶縁母線１３を接続したものであり、実施例１の場合と同様に、ブッシング下部タンク２から分岐したタンク形避雷器３、変成器４、ガス絶縁母線５,１３の各タンクが接地電位となるので、ガスブッシング１の近傍の電界分布が、ブッシング下部タンク２から分岐したタンク形避雷器３、変成器４、ガス絶縁母線５,１３の各タンクの上位に至り、ガスブッシング近傍の接地面付近の電界を低くすることができる。
【実施例４】
図１０は本実施例に係るガス絶縁開閉装置のガスブッシング近傍の構成を示す平面図でおる。この図において、タンク形避雷器３、巻線形または光変換形の変成器４、ガス絶縁母線５が、それぞれ、２０度の等間隔で設けられている。その他の構成は、図１ないし図３に示す同符号の構成に対応する。
実施例１が、タンク形避雷器３、巻線形または光変換形の変成器４、ガス絶縁母線５及びカバー６の４つのタンクにより構成されているのに対して、本実施例のガス絶縁開閉装置は、タンク形避雷器３、巻線形または光変換形の変成器４、ガス絶縁母線５の３つのタンクで構成可能であり、より簡便に、ガスブッシング近傍の設置面付近の電界を低くすることができる。なお、各タンクの間隔は１２０°でなくても、これらの何れもが９０°より大きければ、ガスブッシング近傍の設置面付近の電界を低くすることができる。
【実施例５】
図１１は本実施例に係るガス絶縁開閉装置のガスブッシング近傍の構成を示す正面図である。この図においてくカバー６の代わりに、ブッシング下部タンク２から竃界制御用の接地シールド２０を分岐させたものである。その他の構成は、図１ないし図３に示す同符号の構成に対応する。
実施例１が。タンク形避雷器３、巻線形または光変換形の変成器４、ガス絶縁母線５に加えて、カバー６をブッシング下部タンク２から分岐させているが、本実施例のガス絶縁開閉装置は、電界制御用の接地シールド２０でほぼ同様にガスブッシング近傍の設置面付近の電界を低くすることができ、より簡便な構造で実現できる。
【図面の簡単な説明】
【図１】本発明の実施例１に係るガス絶縁開閉装置の構成を示す正面図である。
【図２】図１に示すガス絶縁開閉装置のガスブッシング近傍の構成を示す平面図である。
【図３】図１に示すガス絶縁開閉装置のガスブッシング近傍の構成を示す側面図である。
【図４】本発明の実施例２に係るガス絶縁開閉装置のガスブッシング近傍の構成を示す正面図である。
【図５】図４に示すガス絶縁開閉装置のガスブッシング近傍の構成を示す平面図である。
【図６】図４に示すガス絶縁開閉装置のガスブッシング近傍の構成を示す側面図である。
【図７】本発明の実施例３に係るガス絶縁開閉装置のガスブッシング近傍の構成を示す正面図である。
【図８】図７に示すガス絶縁開閉装置のガスブッシング近傍の構成を示す平面図である。
【図９】図８に示すガス絶縁開閉装置を左側から見たガスブッシング近傍の構成を示す側面図である。
【図１０】本発明の実施例４に係るガス絶縁開閉装置のガスブッシング近傍の構成を示す平面図である。
【図１１】本発明の実施例５に係るガス絶縁開閉装置のガスブッシング近傍の構成を示す正面図である。
【符号の説明】
１…ガスブッシング、２…ブッシング下部タンク、３…タンク形避雷器、４…巻線形または光変換形の変成器、５、１３…ガス絶縁母線、６…カバー、７…断路器、８…変流器、９…遮断器、１０…主母線、１１…人、１２…送電線用接地開閉器、２０…接地シールド。
【図１】
0003876356.tif 000002
【図２】
0003876356.tif 000003
【図３】
0003876356.tif 000004
【図４】
0003876356.tif 000005
【図５】
0003876356.tif 000006
【図６】
0003876356.tif 000007
【図７】
0003876356.tif 000008
【図８】
0003876356.tif 000009
【図９】
0003876356.tif 000010
【図１０】
0003876356.tif 000011
【図１１】
0003876356.tif 000012